(57)【要約】      （修正有）【課題】適応的に構成可能なアンテナシステムを有する補聴器を提供する。【解決手段】補聴器２’は、一つ又は複数の音声信号を処理するための信号プロセッサ６と、無線データ通信のために信号プロセッサに接続される無線通信ユニット８と、データ端子１２と少なくとも一つの制御端子１４とを有するアンテナシステム１０’を含む。データ端子は無線通信ユニットに接続され、アンテナシステムは第１のアンテナ１６及び第１のアンテナ・フィード１８を含む一つ又は複数のアンテナ・フィード１８、２２を備える。アンテナシステムは制御端子に送信された制御信号に応じて、アンテナシステムを構成するためのアンテナ構成装置２０をさらに備える。アンテナ構成装置は、第１のアンテナ・モードで作動するときは第１のアンテナ構成をデータ端子に適用し、第２のアンテナ・モードで作動するときは第２のアンテナ構成をデータ端子に適用する。【選択図】図２
2015156634.tif 000002
【特許請求の範囲】
【請求項１】
補聴器のユーザの聴力損失を補うために一つ又は複数の音声信号を処理するための信号プロセッサと、
無線データ通信のために前記信号プロセッサに接続される無線通信ユニットと、
データ端子及び少なくとも一つの制御端子を有するアンテナシステムであって、前記データ端子は前記無線通信ユニットに接続され、第１のアンテナと第１のアンテナ・フィードを含む一つ又は複数のアンテナ・フィードとを有するアンテナシステムと、
を備え、
前記アンテナシステムは、前記少なくとも一つの制御端子における制御信号に応じて、第１のアンテナ・モードと第２のアンテナ・モードとを含む複数のアンテナ・モードから選択される選択アンテナ・モードで作動するように、前記アンテナシステムを構成するためのアンテナ構成装置を備え、前記アンテナ構成装置は、前記第１のアンテナ・モードで作動するときは第１のアンテナ構成を前記データ端子に適用し、前記第２のアンテナ・モードで作動するときは第２のアンテナ構成を前記データ端子に適用するように構成される、補聴器。
【請求項２】
前記第１のアンテナ・フィードは、第１の位置で前記第１のアンテナに接続され、第２のアンテナ・フィードは、第２の位置で前記第１のアンテナに接続される、請求項１に記載の補聴器。
【請求項３】
前記第１のアンテナ・フィードは、第１の位置で前記第１のアンテナに接続され、前記アンテナシステムは第２のアンテナを有し、第２のアンテナ・フィードは、第２の位置で前記第２のアンテナに接続される、請求項１に記載の補聴器。
【請求項４】
前記データ端子は、前記第１のアンテナ・モードでは前記第１のアンテナ・フィードに接続され、前記データ端子は、前記第２のアンテナ・モードでは前記第２のアンテナ・フィードに接続される、請求項２又は３に記載の補聴器。
【請求項５】
前記第１のアンテナ・モードにおける前記アンテナ構成装置は、前記第１のアンテナ・フィードに第１の一次インピーダンスを適用するとともに前記第２のアンテナ・フィードに第２の一次インピーダンスを適用し、前記第２のアンテナ・モードにおける前記アンテナ構成装置は、前記第１のアンテナ・フィードに第１の二次インピーダンスを適用するとともに前記第２のアンテナ・フィードに第２の二次インピーダンスを適用する、請求項２から４のいずれか一項に記載の補聴器。
【請求項６】
前記信号プロセッサは、前記アンテナ・モードを選択し、選択したアンテナ・モードで前記アンテナシステムを作動させるために、前記アンテナシステムに前記制御信号を送信するように構成される、請求項１から５のいずれか一項に記載の補聴器。
【請求項７】
前記第１のアンテナ構成は第１の放射パターンを有し、前記第２のアンテナ構成は前記第１の放射パターンとは異なる第２の放射パターンを有する、請求項１から６のいずれか一項に記載の補聴器。
【請求項８】
前記第１のアンテナ構成は第１の偏極を有し、前記第２のアンテナ構成は第１の偏極とは異なる第２の偏極を有する、請求項１から７のいずれか一項に記載の補聴器。
【請求項９】
前記第１のアンテナ構成は第１の方向に延びるアンテナ部を有し、前記第２のアンテナ構成は前記第１の方向に実質的に垂直な第２の方向に延びるアンテナ部を有する、請求項１から８のいずれか一項に記載の補聴器。
【請求項１０】
前記第１のアンテナ構成は、２．４から２．５ＧＨｚまでの範囲の周波数用に構成される、請求項１から９のいずれか一項に記載の補聴器。
【請求項１１】
データ通信用のデータ端子を有するアンテナシステムを備える補聴器を作動させるための方法であって、
前記アンテナシステムの第１のアンテナ・モードにおける信号品質を示す第１のパラメータを受信することと、
前記アンテナシステムの第２のアンテナ・モードにおける信号品質を示す第２のパラメータを受信することと、
前記第１及び第２のパラメータに基づいて最適アンテナ・モードを決定することと、
前記最適アンテナ・モードで作動するように前記アンテナシステムを構成することと、
を含む方法。
【請求項１２】
前記アンテナシステムを構成することは、前記第１のアンテナ・モードが前記最適アンテナ・モードであるときは前記アンテナシステムのデータ端子に第１のアンテナ構成を適用し、前記第２のアンテナ・モードが前記最適アンテナ・モードであるときは前記データ端子に第２のアンテナ構成を適用することを含む、請求項１１に記載の方法。
【請求項１３】
前記アンテナシステムを構成することは、前記第１のアンテナ・モードが前記最適アンテナ・モードであるときは前記アンテナシステムの第１のアンテナ・フィードに第１の一次インピーダンスを適用するとともに前記アンテナシステムの第２のアンテナ・フィードに第２の一次インピーダンスを適用することを含み、前記方法は、前記第２のアンテナ・モードが前記最適アンテナ・モードであるときに前記第１のアンテナ・フィードに第１の二次インピーダンスを適用するとともに前記第２のアンテナ・フィードに第２の二次インピーダンスを適用することを含む、請求項１１又は１２に記載の方法。
【請求項１４】
前記方法は、前記アンテナシステムの外部の信号プロセッサによって実行され、前記信号プロセッサは、前記アンテナシステムに制御信号を送信して前記アンテナシステムを構成する、請求項１１から１３のいずれか一項に記載の方法。
【請求項１５】
前記第１及び／又は前記第２のパラメータは受信信号強度を示す、請求項１１から１４のいずれか一項に記載の方法。
【発明の詳細な説明】
【技術分野】
【０００１】
本開示は、無線信号を送信又は受信するために構成された補聴器に関する。特に、無線信号を適切に受信する可能性を高めるための適応型アンテナシステムを有する補聴器が開示される。
【背景技術】
【０００２】
無線通信技術における発展が継続する中で、補聴器との間の無線通信が増加している。しかしながら、例えばスマートフォンに比べて制限された補聴器のサイズにより、アンテナを使用する可能性が厳しく制限される。
【発明の概要】
【発明が解決しようとする課題】
【０００３】
無線信号の安定した受信状態の獲得及び維持のために、ならびに送信及び／又は受信された電波の空間的差異（例えば、偏極又は電界分布）に対処するために、異なるように配向及び偏極されたアンテナが有用であり得る。
【０００４】
補聴器の配向又はユーザの位置にかかわらず、データの無線受信状態を向上させる補聴器に対する要求がある。
【０００５】
知られている解決策にもかかわらず、補聴器の制限を克服し、さらに、受信する信号の偏極の違いに対処するという利益を提供するアンテナシステムに対する要求が依然として存在する。
【課題を解決するための手段】
【０００６】
したがって、適応的に構成可能なアンテナシステムを有する補聴器が提供される。補聴器は、任意選択的に補聴器のユーザの聴力損失を補うために一つ又は複数の音声信号を処理するための信号プロセッサと、無線データ通信のために信号プロセッサに接続された無線通信ユニットと、データ端子及び少なくとも一つの制御端子を有するアンテナシステムとを備える。データ端子は無線通信ユニットに接続され、アンテナシステムは第１のアンテナと、第１のアンテナ・フィードを含む一つ又は複数のアンテナ・フィードとを有する。アンテナシステムは、少なくとも一つの制御端子における制御信号に応じて、第１のアンテナ・モード及び第２のアンテナ・モードを含む複数のアンテナ・モードから選択される選択アンテナ・モードで作動するようにアンテナシステムを構成するためのアンテナ構成装置を備える。アンテナ構成装置は、第１のアンテナ・モードで作動するときは第１のアンテナ構成をデータ端子に適用し、及び第２のアンテナ・モードで作動するときは第２のアンテナ構成をデータ端子に適用するように構成される。
【０００７】
また、補聴器を作動させるための方法が開示される。ここで、補聴器はデータ通信用のデータ端子を有するアンテナシステムを備える。この方法は、例えばアンテナシステムの第１のアンテナ・モードにおける信号品質を示す第１のパラメータを受信することと、任意選択的に、例えばアンテナシステムの第２のアンテナ・モードにおける信号品質を示す第２のパラメータを受信することと、第１及び／又は第２のパラメータに基づいて最適アンテナ・モードを決定することと、最適アンテナ・モードで作動するようにアンテナシステムを構成することとを含む。アンテナシステムを構成することは、アンテナシステムに制御信号を送信すること又は適用することを含む。
【０００８】
また、補聴器を作動させるための方法が本明細書中に開示される。ここで、補聴器はデータ通信用のデータ端子を有するアンテナシステムを備える。この方法は、補聴器が送信状態にある場合は第１のアンテナ・モードで作動するようにアンテナシステムを構成し、補聴器が受信状態にある場合は第２のモードで作動するようにアンテナシステムを構成することを含む。アンテナシステムを構成することは、アンテナシステムに制御信号を送信すること又は適用することを含む。
【０００９】
一つ又は複数の実施形態によると、電磁信号の受信状態を向上させるための、補聴器及び補聴器を作動させるための方法が提供される。
【００１０】
補聴器は、補聴器のユーザの聴力損失を補うために一つ又は複数の音声信号を処理するための信号プロセッサと、無線データ通信のために信号プロセッサに接続される無線通信ユニットと、データ端子及び少なくとも一つの制御端子を有するアンテナシステムを含む。データ端子は無線通信ユニットに接続される。アンテナシステムは、第１のアンテナと、第１のアンテナ・フィードを含む一つ又は複数のアンテナ・フィードとを有する。アンテナシステムは、少なくとも一つの制御端子において送信された制御信号に応じて、第１のアンテナ・モード及び第２のアンテナ・モードを含む複数のアンテナ・モードから選択された選択アンテナ・モードで作動するように、アンテナシステムを構成するためのアンテナ構成装置をさらに備える。アンテナ構成装置は、第１のアンテナ・モードで作動するときは第１のアンテナ構成をデータ端子に適用し、第２のアンテナ・モードで作動するときは第２のアンテナ構成をデータ端子に適用するように構成される。
【００１１】
任意選択的に、前記した一つ又は複数のアンテナ・フィードは、第２のアンテナ・フィードをさらに備え、第１のアンテナ・フィードは第１の位置で第１のアンテナに接続され、及び第２のアンテナ・フィードは第２の位置で第１のアンテナに接続される。
【００１２】
任意選択的に、第１のアンテナ・フィードは第１の位置で第１のアンテナに接続され、アンテナシステムは第２のアンテナを備え、第２のアンテナ・フィードは第２の位置で第２のアンテナに接続される。
【００１３】
任意選択的に、データ端子は第１のアンテナ・モードでは第１のアンテナ・フィードに接続され、データ端子は第２のアンテナ・モードでは第２のアンテナ・フィードに接続される。
【００１４】
任意選択的に、第１のアンテナ・モードにおけるアンテナ構成装置は、第１のアンテナ・フィードに第１の一次インピーダンスを適用するとともに、第２のアンテナ・フィードに第２の一次インピーダンスを適用する。また、第２のアンテナ・モードにおけるアンテナ構成装置は、第１のアンテナ・フィードに第１の二次インピーダンスを適用するとともに、第２のアンテナ・フィードに第２の二次インピーダンスを適用する。
【００１５】
任意選択的に、信号プロセッサは、アンテナ・モードを選択するとともに、その選択されたアンテナ・モードでアンテナシステムを作動させるように、アンテナシステムに制御信号を送信するように構成される。
【００１６】
任意選択的に、第１のアンテナ構成は第１の放射パターンを有し、及び第２のアンテナ構成は第１の放射パターンとは異なる第２の放射パターンを有する。
【００１７】
任意選択的に、第１のアンテナ構成は第１の偏極を有し、及び第２のアンテナ構成は第１の偏極とは異なる第２の偏極を有する。
【００１８】
任意選択的に、第１のアンテナ構成は第１の方向に延びるアンテナ部を備え、及び第２のアンテナ構成は第１の方向に実質上垂直な第２の方向に延びるアンテナ部を備える。
【００１９】
任意選択的に、第１のアンテナ構成は２．４〜２．５ＧＨｚの範囲の周波数用に構成される。
【００２０】
データ通信用のデータ端子を有するアンテナシステムを備える補聴器を作動させるための方法であって、この方法は、アンテナシステムの第１のアンテナ・モードにおける信号品質を示す第１のパラメータを受信することと、アンテナシステムの第２のアンテナ・モードにおける信号品質を示す第２のパラメータを受信することと、第１及び第２のパラメータに基づいて、少なくとも第１のアンテナ・モード及び第２のアンテナ・モードからアンテナ・モードを選択することと、選択したアンテナ・モードで作動するようにアンテナシステムを構成することと、を含む。
【００２１】
任意選択的に、アンテナシステムを構成する動作は、第１のアンテナ・モードが選択されたアンテナ・モードであるときは、アンテナシステムのデータ端子に第１のアンテナ構成を適用することと、第２のアンテナ・モードが選択されたアンテナ・モードであるときはアンテナシステムのデータ端子に第２のアンテナ構成を適用することと、を含む。
【００２２】
任意選択的に、アンテナシステムを構成する動作は、第１のアンテナ・モードが選択されたアンテナ・モードであるときは、アンテナシステムの第１のアンテナ・フィードに第１の一次インピーダンスを適用するとともに、アンテナシステムの第２のアンテナ・フィードに第２の一次インピーダンスを適用することと、第２のアンテナ・モードが選択されたアンテナ・モードであるときは、アンテナシステムの第１のアンテナ・フィードに第１の二次インピーダンスを適用するとともに、アンテナシステムの第２のアンテナ・フィードに第２の二次インピーダンスを適用することと、を含む。
【００２３】
任意選択的に、受信動作、選択動作、及び構成動作は、アンテナシステムの外部の信号プロセッサによって実行され、方法は、アンテナシステムを構成するためにプロセッサからアンテナシステムに制御信号を送信することさらに含む。
【００２４】
任意選択的に、第１のパラメータは第１のアンテナ・モードに関する受信信号強度を示し、及び／又は、第２のパラメータは第２のアンテナ・モードに関する受信信号強度を示す。
【００２５】
他の態様及び特徴は以下の詳細な説明を読むことで明らかになるであろう。
【００２６】
上記の及び他の特徴及び利点は、例示の実施形態の以下の詳細な説明によって、添付の図面を参照して、当業者にとって容易に明らかになるであろう。
【図面の簡単な説明】
【００２７】
【図１】図１は、アンテナシステムを有する例示の補聴器を概略的に示す。
【図２】図２は、アンテナシステムを有する例示の補聴器を概略的に示す。
【図３】図３は、一本のアンテナ及び一つのフィーディング・ポイントを有する、補聴器用の例示のアンテナシステムを概略的に示す。
【図４】図４は、二本のアンテナ及び二つのフィーディング・ポイントを有する、補聴器用の例示のアンテナシステムを概略的に示す。
【図５】図５は、一本のアンテナ及び二つのフィーディング・ポイントを有する、補聴器用の例示のアンテナシステムを概略的に示す。
【図６】図６は、一本のアンテナ及び二つのフィーディング・ポイントを有する、補聴器用の例示のアンテナシステムを概略的に示す。
【図７】図７は、補聴器用のアンテナシステムを作動させるための方法を示すフロー図である。
【発明を実施するための形態】
【００２８】
以下、図面を参照してさまざまな実施形態が本明細書中に記載され、その中に例示の実施形態が示される。しかしながら、請求項に係る発明は、別の形で具現化されてもよく、本明細書中の実施形態に限定されると解釈されるべきではない。同様の参照符号は全体を通して同様の要素を指す。したがって、各図面の説明に関して、同様の要素は詳細には記載されない。図面は単に実施形態の説明を容易にすることを意図されているにすぎないことに注目されたい。それらは、請求項に係る発明の網羅的な説明として、又は特許請求に係る発明の範囲の限定として意図されるものではない。さらに、例示される実施形態は、示された態様又は利点の全てを有する必要はない。特定の実施形態と併せて説明された態様又は利点は、必ずしもその実施形態に限定されるものではなく、及び、たとえそのように例示されていなくても、又はたとえそのように明らかに説明されていなくても、任意の他の実施形態において実施され得る。
【００２９】
本開示は、アンテナシステムを有する補聴器に関する。アンテナシステムは、データ端子及び少なくとも一つの制御端子を備える。アンテナシステムは、第１のアンテナと、第１のアンテナ・フィードを含む一つ又は複数のアンテナ・フィードとを備えていてもよい。さらに、アンテナシステムは、選択されたアンテナ・モードで作動するようにアンテナシステムを構成するためのアンテナ構成装置を備えていてもよい。アンテナ・モードは、第１のアンテナ・モード及び第２のアンテナ・モードを含む複数のアンテナ・モードから選択されてもよい。
【００３０】
アンテナシステムの構成は、少なくとも一つの制御端子に関する制御信号に応じて適用されてもよい。アンテナ構成装置は、第１のアンテナ・モードで作動するときは第１のアンテナ構成をデータ端子に適用し、第２のアンテナ・モードで作動するときは第２のアンテナ構成をデータ端子に適用するように構成されてもよい。
【００３１】
補聴器は、聴覚装置のユーザの聴力損失又は障害を補うために一つ又は複数の音声信号を処理する信号プロセッサを含む処理装置を備えていてもよい。
【００３２】
補聴器は、無線データ通信のために信号プロセッサに接続される無線通信ユニットを備える。無線通信ユニットは、アンテナシステムのデータ端子に接続されてもよい。
【００３３】
アンテナ構成は、アンテナ・フィードの位置と共にアンテナ及びアンテナ部分のサイズ、形状、型、及び位置を含んでいてもよい。
【００３４】
多くの異なるアンテナ構成から選定又は選択することによる適応型アンテナシステムの提供により、所望の信号を受信する可能性が高められ、及び／又は受信信号の質が高められる。送信信号の偏極及び／又は放射パターンは、受信用アンテナシステムのアンテナ及びそれぞれのアンテナ・フィードの配置及び配向に起因して、特定のアンテナ構成による受信に適さない可能性がある。アンテナ構成の偏極及び／又は放射パターンは、アンテナ特性と呼ばれることがある。
【００３５】
開示されるように、アンテナ構成装置を備えるアンテナシステムを有する補聴器は、補聴器が送信用アンテナシステムと受信用アンテナシステムとの間のアンテナ構成特性の差異を低減させることを可能にする。
【００３６】
構成可能なアンテナシステムのさらなる利点は、一つのアンテナ構成はユーザの右耳に装着された補聴器に適する可能性があり、一方、別のアンテナ構成はユーザの左耳に装着された補聴器に適する可能性があるということである。補聴器用アンテナシステムにいくつかのアンテナ構成を組み込むことは、同一の補聴器を左耳用及び右耳用に使用することを可能にすることができ、それにより生産コストを削減することができる。
【００３７】
受信用アンテナシステムのアンテナ構成装置は、異なるアンテナ特性を有するアンテナ構成を備える異なるアンテナ・モードを適用することを可能にすることができ、それによって、受信用及び／又は送信用アンテナシステムの特性を変更し、したがって、他のアンテナ構成による受信に適さない放射パターン及び／又は偏極を有する信号の受信状態及び／又は送信状態を向上させる。
【００３８】
同様に、送信用アンテナシステムのアンテナ構成装置は、異なるアンテナ特性を有するアンテナ構成を備える異なるアンテナ・モードを適用することを可能にすることができ、それによって、送信用アンテナシステムの特性を変更する。
【００３９】
アンテナの特性は、いくつかの要因、とりわけ、実際のアンテナならびに信号を供給又は受信するアンテナ・フィードの形状及び位置によって決定され得る。用語「アンテナの特性」は、したがって、物理的なアンテナの性質、一つ又は複数のアンテナ・フィード、及びアンテナ・フィードに適用されるインピーダンスのような特性のような性質の組み合わせの状態を指し得る。
【００４０】
第１のアンテナ構成は、例えば第１の方向に第１の主要ローブを有する、第１の放射パターンを有していてもよい。第２のアンテナ構成は、例えば第２の方向に第２の主要ローブを有する、第２の放射パターンを有していてもよい。第２の放射パターンは、第１の放射パターンとは異なっていてもよい。第１及び第２の方向の間の角度は、４５°から１３５°までの範囲内であってもよい。
【００４１】
第１のアンテナ構成は、第１の偏極を有していてもよい。第２のアンテナ構成は、第２の偏極を有していてもよい。第２の偏極は、第１の偏極とは異なっていてもよい。第１の偏極及び／又は第２の偏極は、横磁偏極であってもよい。
【００４２】
アンテナ構成装置は、アンテナの形状又は位置のような物理的性質を変更することによってアンテナ構成を変更し得る。したがって、第１のアンテナ・モードは、第１の方向に及び／又は第１の軸に沿って延びるアンテナ部を備える第１のアンテナ構成を備えていてもよく、第２のアンテナ・モードは、第２の方向に及び／又は第２の軸に沿って延びるアンテナ部を備えていてもよい。
【００４３】
第２の方向は第１の方向に対して実質上垂直であってもよい（例えば、第２の方向及び第１の方向は、互いに９０°±１０°を成してもよい）。それによって互いを補い合う放射パターンを取得し、すなわち、第２のアンテナ構成は、第１のアンテナ構成によって弱く受信される信号を受信することができ得る。この状況は、弱い受信状態が送信用アンテナの放射パターンと第１のアンテナ構成の放射パターンとの間の差異に起因する場合に、特にあてはまる。
【００４４】
代替的又は付加的に、アンテナ構成装置は、アンテナ・モードを選択し及び異なるアンテナ・フィードを利用することによってアンテナシステム特性を変更してもよく、及び／又は異なるアンテナ・フィードに異なる性質を適用してもよい。
【００４５】
アンテナ・フィードは、一端子のアンテナ・フィード又は二端子のアンテナ・フィードであってもよい。例えばモノポール・アンテナのために使用される、一端子のアンテナ・フィードに関して、第１のアンテナ端子は、一つ又は複数のアンテナ部分に接続されてもよい。例えばダイポール・アンテナのために使用される、二端子のアンテナ・フィードに関して、第１のアンテナ端子は第１のアンテナ部分に接続され、及び第２のアンテナ端子は第２のアンテナ部分に接続される。
【００４６】
例示のアンテナシステムにおいて、第１のアンテナ・フィードは、第１の位置で第１のアンテナに接続されてもよく、第２のアンテナ・フィードは、第２の位置で第１のアンテナに接続されてもよい。したがって、アンテナシステムのアンテナは、アンテナ構成装置に接続される一つ又は複数のアンテナ・フィードを組み込んでいてもよい。したがって、アンテナ構成装置は、第１のアンテナ・フィード及び／又は第２のアンテナ・フィードを利用することによって、アンテナ・モードを変更してもよい。代替的に又は付加的に、アンテナ構成装置は、受信又は送信用に利用されない、すなわちその特定のアンテナ・モードにおいてデータ端子に接続されない（一つ又は複数の）アンテナ・フィードに適当な性質を適用してもよい。アンテナ構成装置は、例えば、実際上、少なくとも１キロオームのような、少なくとも１０キロオームのような、例えば少なくとも１００キロオームのような、非常に大きいインピーダンスを、選択されたアンテナ・モードに応じて第１及び／又は第２のアンテナ端子に適用することによって、アンテナ・モードにおいて一つ又は複数のアンテナ・フィードを分離してもよい。二端子のアンテナ・フィードに関して、アンテナ構成装置は、例えばアンテナの二つのアンテナ部分を結合させるために、アンテナ・モードにおいて一つ又は複数のアンテナ・フィードの第１のアンテナ端子及び第２のアンテナ端子を短絡させてもよい。二端子のアンテナ・フィードに関して、アンテナ構成装置は、例えばアンテナの二つのアンテナ部分を結合させるために、アンテナ・モードにおける一つ又は複数のアンテナ・フィードの第１のアンテナ端子及び第２のアンテナ端子をインピーダンス整合させてもよい。
【００４７】
単一のアンテナ及び当該アンテナのためのいくつかのアンテナ・フィードを利用する状況は、サイズが制限され及び全ての部品が望ましくはできる限り小さい、小さな補聴器において特に有用である。
【００４８】
アンテナ構成装置は、第１のアンテナ・モードで、第１のアンテナ・フィードに第１の一次インピーダンスを適用するとともに、第２のアンテナ・フィードに第２の一次インピーダンスを適用してもよい。アンテナ構成装置は、第２のアンテナ・モードで、第１のアンテナ・フィードに第１の二次インピーダンスを適用するとともに、第２のアンテナ・フィードに第２の二次インピーダンスを適用してもよい。
【００４９】
例示のアンテナシステムにおいて、アンテナシステムは、第１のアンテナ及び第２のアンテナを含む複数のアンテナを備えていてもよい。したがって、第１のアンテナ・フィードは第１の位置で第１のアンテナに接続されてもよく、また、アンテナシステムは第２のアンテナと第２のアンテナ・フィードとを備えていてもよい。第２のアンテナ・フィードは、第２の位置で第２のアンテナに接続されてもよい。この例示のアンテナシステムにおいて、アンテナ構成装置は、第１のアンテナ又は第２のアンテナのいずれかを使用するように選択してもよい。
【００５０】
第１のアンテナ・フィードは、第１のアンテナの第１の端に位置付けられていてもよい。第２のアンテナ・フィードは、第１のアンテナの第２の端に又は第２のアンテナの第１の端に位置付けられていてもよい。アンテナ・フィードは、アンテナのそれぞれの端の間に位置付けられていてもよい。
【００５１】
いくつかのアンテナ・フィードを有する単一のアンテナ、又は一つ又は複数のアンテナ・フィードをそれぞれ有するいくつかのアンテナを組み入れようとなかろうと、アンテナ構成装置は、あるアンテナ構成にデータ端子を接続することによってあるアンテナ・モードを利用してもよい。したがって、第１及び第２のアンテナ構成をそれぞれ適用するために、データ端子は、第１のアンテナ・モードで第１のアンテナ・フィードに接続されてもよく、データ端子は、第２のアンテナ・モードで第２のアンテナ・フィードに接続されてもよい。
【００５２】
アンテナ構成装置は、第１のアンテナ・モードで第１のアンテナ・フィードにデータ端子を接続し、第２のアンテナ・モードで第２のアンテナ・フィードにデータ端子を接続するスイッチ回路を制御してもよい。アンテナ構成装置は、スイッチ回路を備えていてもよく、したがって、アンテナ構成装置は、第１のアンテナ・モードでは第１のアンテナ・フィードにデータ端子を接続し、第２のアンテナ・モードでは第２のアンテナ・フィードにデータ端子を接続するのに適している。
【００５３】
アンテナ構成装置内にスイッチ回路を組み入れることは、アンテナ構成装置が利用されるアンテナ・モードに応じてアンテナ・フィードの各々に異なる性質を適用し得るので、有益であり得る。
【００５４】
アンテナ構成装置は、アンテナ・フィードのインピーダンスを調節するための回路を備えていてもよい。回路は、アンテナ・フィードのインピーダンスを無線通信ユニットのインピーダンスと整合させ又は調節するように構成されていてもよい。
【００５５】
アンテナ・モードの選択は、信号プロセッサを含む処理装置により実施されてもよい。信号プロセッサは、アンテナ・モードを選択し及びアンテナシステムに制御信号を送信して、選択アンテナ・モードでアンテナシステムを作動させるように構成されていてもよい。制御信号は、アンテナシステムのアンテナ構成装置に送られてもよい。受信信号の分析及び信号強度や、エラー率等のようなパラメータに基づく、アンテナ・モードの変更が有益であり得るかどうかの決定に基づいて、信号プロセッサによりアンテナ・モードの選択が実行されてもよい。処理装置は、無線通信ユニットから（一つ又は複数の）信号品質指標を受信し、及びアンテナ・モード／アンテナ構成の選択を（一つ又は複数の）信号品質指標に準拠してもよい。
【００５６】
信号プロセッサがアンテナ・モードの変更が有益であり得るかどうかを決定する場合、制御信号は、アンテナシステムのアンテナ構成装置に送信されて、第２のアンテナ構成を有する第２のアンテナ・モードにアンテナ構成を再構成してもよい。
【００５７】
アンテナシステムは、初期設定アンテナ・モードを有していてもよく、以前に採用されたアンテナ・モードが初期設定であってもよい。
【００５８】
信号プロセッサは、表示パラメータがある閾値未満に落ちた場合に第２のアンテナ・モードを利用するようにアンテナシステムを構成してもよい。そのような表示パラメータは、信号強度、信号品質、信号対雑音比、エラー率等のようなパラメータのうちの任意の一つ又はいくつかであってもよい。例示の補聴器において、処理装置は、無線信号の受信状態の間は第１のアンテナ構成を適用し、送信状態の間は第２のアンテナ構成を適用するようにアンテナシステムを構成してもよい。これは例えば両耳用の聴力装置において特に有用であり、両耳用の聴力装置では、例えば映画館又は空港において、第１の補聴器は第２の補聴器に送信し及び外部無線送信機から受信する。
【００５９】
例示の補聴器において、第１のアンテナ構成は、初期設定に採用されたアンテナ構成であってもよい。アンテナ構成装置及び／又は信号プロセッサは、したがって、初期設定のアンテナ構成が信号を適切に受信することができない場合に単にアンテナ構成を変更するように構成されていてもよい。信号が適切に受信されたかどうかの決定は、信号強度、信号品質、信号対雑音比、エラー率等のようなパラメータのうちの任意の一つ又はいくつかから決定されてもよい。
【００６０】
第１のアンテナ構成及び／又は第２のアンテナ構成は、２．４〜２．５ＧＨｚの範囲、及び／又は８００ＭＨｚから１ＧＨｚまでの範囲、及び／又は１３ＭＨｚから１４ＭＨｚまでの範囲、及び／又は３．６ＧＨｚから３．７ＧＨｚまでの範囲、及び／又は４．９ＧＨｚから５．９ＧＨｚまでの範囲の周波数用に構成されてもよい。アンテナ及びそのアンテナ部分のサイズ及び形状と共にアンテナ・フィードの位置は、当該アンテナがどの周波数を受信するのに最も適し得るかを決定し得る。
【００６１】
任意のアンテナ構成、例えば第１のアンテナ構成及び／又は第２のアンテナ構成は、例えば、モノポール・アンテナ、ダイポール・アンテナ、ループ・アンテナ等の任意の知られている型のアンテナを備えていてもよい。
【００６２】
本明細書中に開示される方法は、補聴器及び外部送信機／受信機間における内部的に向上された無線通信を提供する。
【００６３】
第１の及び／又は第２のパラメータは、受信信号強度、又は信号強度、信号品質、信号対雑音比、エラー率等を示してもよい。第１のパラメータは、聴力装置の作動状態を示してもよい。第１のパラメータ及び／又は第２のパラメータは、補聴器及びしたがって無線通信ユニットが送信状態にあるか又は受信状態にあるかを示してもよい。
【００６４】
方法は、アンテナシステムの外部の信号プロセッサによって実行されてもよい。信号プロセッサは、アンテナシステムに制御信号を発信して、アンテナシステムを構成してもよい。したがって、アンテナシステムは、信号プロセッサを含む処理装置の（一つ又は複数の）制御端子のそれぞれに接続される（一つ又は複数の）制御端子を備えていてもよい。
【００６５】
アンテナシステムを構成することは、第１のアンテナ・モードが最適アンテナ・モードであるときにアンテナシステムのデータ端子に第１のアンテナ構成を適用することを含んでいてもよい。第１のアンテナ・モードが最適アンテナ・モードであるかどうかの決定は、補聴器の受信信号及び／又は作動状態を分析する信号プロセッサによって実行されてもよい。同様にアンテナシステムを構成することは、第２のアンテナ・モードが最適アンテナ・モードであるときにデータ端子に第２のアンテナ構成を適用することを含んでいてもよい。それによって、方法は、異なるアンテナ構成を備える異なるアンテナ・モード間で変化し、したがって最適アンテナ・モードであるアンテナ・モードを採用し得る。
【００６６】
最適アンテナ・モードは、利用可能なアンテナ・モードの各々の信号の受信の際に決定されてもよく、次いで、アンテナ・モードのうちのどれが最良かを決定する。所望の又は最良のアンテナ・モードは、補聴器の作動状態、信号強度、信号品質、信号対雑音比、エラー率等のようなパラメータのうちの任意の一つ又はいくつかに基づいて決定されてもよい。
【００６７】
最適アンテナ・モードは、同様にあるいは代替的に、現在採用されているアンテナ・モード又は初期設定のアンテナ・モードであってもよく、及び表示パラメータがある閾値未満に落ちた場合に、異なるアンテナ・モードを利用するようにアンテナシステムを構成することが実行される。そのような表示パラメータは、信号強度、信号品質、信号対雑音比、エラー率等のようなパラメータのうちの任意の一つ又はいくつかであってもよい。
【００６８】
アンテナシステムを構成することは、第１のアンテナ・モードが最適アンテナ・モードであるときに、アンテナシステムの第１のアンテナ・フィード、例えば、第１のアンテナ・フィードの第１のアンテナ端子に第１の一次インピーダンスを適用することと、アンテナシステムの第２のアンテナ・フィード、例えば第２のアンテナ・フィードの第１のアンテナ端子に第２の一次インピーダンスを適用することとを含んでいてもよい。例示の方法において、第２のアンテナ・フィードを分離するために、第２の一次インピーダンスは、少なくとも１キロオームのような、少なくとも１０キロオームのような、例えば少なくとも１００キロオームのような、高インピーダンスであってもよい。第１の一次インピーダンスは、例えば、１００オーム未満、７５オーム未満、５５オーム未満など、低いように選択されてもよい。第１の一次インピーダンスは、無線通信ユニットに従って整合されてもよく、及び第１のアンテナ・フィードは、データ端子に結合されてもよい。
【００６９】
方法は、第２のアンテナ・モードが最適アンテナ・モードであるときに第１のアンテナ・フィードに第１の二次インピーダンスを適用するとともに、第２のアンテナ・フィードに第２の二次インピーダンスを適用することを含んでいてもよい。第１の二次インピーダンスは、第２の一次インピーダンスと同一であってもよい。第２の二次インピーダンスは、第１の一次インピーダンスと同一であってもよい。例示の方法において、第１のアンテナ・フィードを分離するために、第１の二次インピーダンスは、少なくとも１キロオームのような、少なくとも１０キロオームのような、例えば、少なくとも１００キロオームのような、高インピーダンスであってもよい。第２の二次インピーダンスは、例えば、１００オーム未満、７５オーム未満、又は５５オーム未満など、低いように選択されてもよい。第２の二次インピーダンスは、無線通信ユニットに従って整合されてもよく、及び第２のアンテナ・フィードはデータ端子に結合されてもよい。
【００７０】
図１は、音を受信するとともに受信した音を第１の音声信号に変換するためのマイクロホン４を備える例示の補聴器２を示す。音声信号は、補聴器２のユーザの聴力損失を補うために第１の音声信号を任意選択的に処理するための信号プロセッサ６に送信される。補聴器２は、無線データ通信のために信号プロセッサ６に接続される無線通信ユニット８をさらに備える。受信モードにおいて、無線通信ユニット８は、補聴器２のユーザの聴力損失を補うために第２の音声信号を処理するための信号プロセッサに第２の音声信号を供給する。信号プロセッサ６は、処理された信号を音に変換するための受信機又は受信機アセンブリ９に処理された信号を出力する。処理された信号は、例えば作動のモードに応じて、第１の音声信号及び／又は第２の音声信号に基づいていてもよい。さらに、補聴器２は、データ端子１２及び少なくとも一つの制御端子１４を有するアンテナシステム１０を備える。データ端子１２は、アンテナシステムを介して無線信号を受信及び／又は送信するための無線通信ユニット８のデータ端子１５’に接続される。少なくとも一つの制御端子１４は、信号プロセッサの制御端子１５に接続される。アンテナシステム１０は、第１のアンテナ１６及び第１のアンテナ・フィード１８を含む一つ又は複数のアンテナ・フィードを備える。アンテナシステム１０は、例えば少なくとも一つの制御端子１４に関する制御信号に応じて選択アンテナ・モード又は最適アンテナ・モードで作動するようにアンテナシステムを構成するためのアンテナ構成装置２０をさらに備える。アンテナ・モードは、少なくとも一つの制御端子１４に関する制御信号に応じて、第１のアンテナ・モード及び第２のアンテナ・モードを含む複数のアンテナ・モードから選択されてもよい。アンテナ構成装置２０は、第１のアンテナ・モードで作動するときはデータ端子１２に第１のアンテナ構成を適用し、第２のアンテナ・モードで作動するときはデータ端子１２に第２のアンテナ構成を適用するように構成されてもよい。
【００７１】
信号プロセッサ６は、少なくとも一つの制御端子１４に接続されてもよく、すなわち、少なくとも一つの制御端子１４に適用される制御信号は、信号プロセッサ６から送信されてもよい。他の例示の補聴器において、無線通信ユニット８は、少なくとも一つの制御端子１４に接続されてもよく、すなわち、少なくとも一つの制御端子１４に適用された制御信号は、無線通信ユニット８から送信されてもよい。
【００７２】
図３から図５に関して説明されるように、第１のアンテナは、いくつかの異なる特性を持っていてもよい。
【００７３】
図２は例示の補聴器２’を示し、アンテナシステム１０’は第２のアンテナ２４、第２のアンテナ・フィード２２、及びアンテナ・スイッチ２６をさらに備える。アンテナ・スイッチ２６は、アンテナ構成装置２０によって制御される。いくつかの例示のアンテナシステムにおいて、スイッチ２６は、アンテナ構成装置２０の一体化された部分であってもよい。アンテナ・スイッチ２６は、アンテナ構成装置２０の制御に従って、第１のアンテナ・フィード１８又は第２のアンテナ・フィード２２にデータ端子１２を接続する。第１のアンテナ１６及び第２のアンテナ２４は、異なる偏極及び／又は放射パターンを用いた信号の受信及び送信を達成するために、互いに関して位置付けられ及び／又は配向されてもよい。
【００７４】
図３は、補聴器２のための例示のアンテナシステム１０を示す。図３に示される例示のアンテナシステム１０は、第１のアンテナ・フィード１８を有する第１のアンテナ１６を備える。第１のアンテナ１６は、第１の一次アンテナ部１６Ａ及び第１の二次アンテナ部１６Ｂを備えていてもよい。第１のブレーカー２８及び第２のブレーカー３０は、第１のアンテナ１６の性質の適応化又は変化を可能にし又は提供する。第１のブレーカー２８の有効化及び第２のブレーカー３０の無効化によって、第１のアンテナ・モードのための第１のアンテナ構成が有効になる。したがって、第１のアンテナ構成は、第１のアンテナ・フィード１８及び第１の一次アンテナ部１６Ａを備える。反対に、第２のブレーカー３０を有効化し及び第１のブレーカー２８を無効化することによって、第２のアンテナ・モードのための第２のアンテナ構成は有効になる。したがって、第２のアンテナ構成は、第１のアンテナ・フィード１８及び第１の二次アンテナ部１６Ｂを備える。第１及び第２のブレーカー２８、３０の有効化及び無効化は、アンテナ構成装置２０によって制御される。第１のアンテナ構成又は第２のアンテナ構成を使用するかどうかの入力は、アンテナ構成装置２０によって制御端子１４から受信される。図３に示された例示のアンテナシステム１０において、アンテナ構成はブレーカー２８、３０を用いて第１のアンテナ１６の特性を変化させることによって変化させられるので、データ端子１２は第１のアンテナ・フィード１８に常に接続される。他の例示のアンテナシステムにおいて、データ端子は、アンテナ・スイッチ２６又はアンテナ構成装置２０に接続されてもよい。
【００７５】
例示のアンテナシステム１０において、第１の二次アンテナ部１６Ｂは、第１のアンテナ・フィード１８から実質上垂直に第１の一次アンテナ部１６Ａに延びていてもよい。したがって、第１のアンテナ構成は、第２のアンテナ・モードのアンテナ特性と比べて異なるアンテナ特性を有する。
【００７６】
図４は、補聴器のための例示のアンテナシステム１０’を示す。アンテナシステム１０’は、第１のアンテナ・フィード１８を有する第１のアンテナ１６、及び第２のアンテナ・フィード２２を有する第２のアンテナ２４を備える。アンテナ・スイッチ２６は、第１のアンテナ・モードでは第１のアンテナ・フィード１８にデータ端子１２を接続してもよく、アンテナ・スイッチ２６は、第２のアンテナ・モードでは第２のアンテナ・フィード２２にデータ端子１２を接続してもよい。第１のアンテナ・モード又は第２のアンテナ・モードを使用するかどうかの入力は、アンテナ構成装置２０によって制御端子１４から受信され、これは、受信制御信号に従ってアンテナ・スイッチ２６を制御する。
【００７７】
第１のアンテナ１６及び第２のアンテナ２４は、アンテナシステム１０’が第１のアンテナ１６を備える第１のアンテナ構成において第１の放射パターンを有し、及びアンテナシステム１０’は第２のアンテナ２４を備える第２のアンテナ・モードにおいて第２の放射パターンを有するように、互いに関して形付けられ及び位置付けられていてもよい。第１の放射パターンは、第２の放射パターンとは異なっていてもよく、したがって、アンテナシステム１０’の高度な受信状態及び送信状態の多様性を可能にする。
【００７８】
同様に、第１のアンテナ１６及び第２のアンテナ２４は、アンテナシステム１０’が第１のアンテナ１６を備える第１のアンテナ構成において第１の偏極を有し、アンテナシステム１０’は第２のアンテナ２４を備える第２のアンテナ構成において第２の偏極を有するように、互いに関して形付けられ及び位置付けられていてもよい。第１の偏極は、第２の偏極とは異なっていてもよく、したがって、アンテナシステム１０’の高度な受信状態及び送信状態の多様性を可能にする。
【００７９】
例示のアンテナシステム１０’において、第１のアンテナ１６は、第２のアンテナ・フィード２２からの第２のアンテナ２４の延長線に対して実質的に垂直な方向に、第１のアンテナ・フィード１８から延びていてもよい。
【００８０】
図５は、補聴器２、２’’のための例示のアンテナシステム１０’’を示す。アンテナシステム１０’’は、第１のアンテナ・フィード１８及び第２のアンテナ・フィード２２を有する第１のアンテナ１６を備える。第１のアンテナ・フィード１８は、第１のアンテナ１６の第１の位置に接続されてもよく、第２のアンテナ・フィード２２は、アンテナ１６の第２の位置に接続されてもよい。アンテナ・スイッチ２６は、第１のアンテナ・モードでは第１のアンテナ・フィード１８にデータ端子１２を接続してもよく、アンテナ・スイッチ２６は第２のアンテナ・モードでは第２のアンテナ・フィード２２にデータ端子１２を接続してもよい。第１のアンテナ・モード又は第２のアンテナ・モードを使用するかどうかの入力は、アンテナ構成装置２０によって制御端子１４から受信され、これは、受信制御信号に従ってアンテナ・スイッチ２６を制御する。
【００８１】
例示のアンテナシステム１０’’において、第１のアンテナ１６は、第１のアンテナ・フィード１８から第２のアンテナ・フィード２２からの第１のアンテナ１６の延長線に対して実質上垂直に延びていてもよい。したがって、第１のアンテナ構成は、第２のアンテナ構成のアンテナ特性と比べて異なるアンテナ特性を示す。
【００８２】
アンテナ構成装置２０は、第１のアンテナ・フィード１８のインピーダンス及び第２のアンテナ・フィード２２のインピーダンスを制御してもよい。したがって、第１のアンテナ構成を有する第１のアンテナ・モードにおいて、第１のアンテナ・フィード１８のインピーダンスは第１の一次インピーダンスに設定されてもよく、第２のアンテナ・フィード２２のインピーダンスは第２の一次インピーダンスに設定されてもよい。第２のアンテナ構成を有する第２のアンテナ・モードにおいて、第１のアンテナ・フィード１８のインピーダンスは第１の二次インピーダンスに設定されてもよく、及び第２のアンテナ・フィード２２のインピーダンスは第２の二次インピーダンスに設定されてもよい。
【００８３】
例示のアンテナシステム１０’’において、第１の一次インピーダンスは第２の一次インピーダンスと比べて低くてもよく、及び第１の二次インピーダンスは第２の二次インピーダンスと比べて高くてもよい。
【００８４】
例示のアンテナシステム１０’’において、第２の一次インピーダンス及び／又は第１の二次インピーダンスは、非常に高く又ははるかに高く、例えば１メガオーム超であってもよい。
【００８５】
アンテナ構成装置２０は、第１のアンテナ・フィード１８のインピーダンス及び第２のアンテナ・フィード２２のインピーダンスを、制御信号を介してアンテナ・スイッチ２６まで制御してもよい。
【００８６】
図６は、補聴器２、２’’のための例示のアンテナシステム１０’’’を示す。アンテナシステム１０’’’は、図５に示されるようなアンテナシステム１０’’と同一の部品を備えるが、しかし、アンテナ１６の形状及び第１のアンテナ・フィード１８及び第２のアンテナ・フィード２２の位置が異なる。アンテナ１６及び第１のアンテナ・フィード１８及び第２のアンテナ・フィード２２は、第１のアンテナ構成がユーザの左耳に着けられる補聴器に適し、及び第２のアンテナ構成がユーザの右耳に着けられる補聴器に適するように、形付けられ及び構成されてもよい。
【００８７】
第１のアンテナ・フィード１８の位置は、第２のアンテナ・フィード２２の位置と異なっていてもよい。第１のアンテナ・フィード１８及び／又は第２のアンテナ・フィード２２は、第１のアンテナ１６の各終点の間に位置する。
【００８８】
図７は、データ通信用のデータ端子を有するアンテナシステムを備える補聴器を作動させるための方法１００を示す。方法１００は、パラメータ１０２を受信すること、最適アンテナ・モード１０４を決定すること、アンテナシステム１０６を構成すること、及び最適アンテナ・モード１０８を介して受信すること、を含む。
【００８９】
パラメータ１０２を受信することは、アンテナシステムの第１のアンテナ・モードにおける信号品質を示す第１のパラメータの受信を含んでいてもよい。パラメータ１０２を受信することは、アンテナシステムの第２のアンテナ・モードにおける信号品質を示す第２のパラメータの受信を含んでいてもよい。
【００９０】
最適アンテナ・モード１０４を決定することは、１０２で受信された第１及び／又は第２のパラメータに基づいていてもよい。最適アンテナ・モード１０４の決定は、一つの例示の方法において、第１及び第２のアンテナ・モードを含むアンテナ・モードの各々の信号強度を比較し、及び最も高い信号強度を提供するアンテナ・モードとして最適アンテナ・モードを決定することによって達成されてもよい。一つ又は複数の例示の方法において、第１及び第２のパラメータは、信号対雑音比又は良好な受信状態の可能性を示し得る任意の他のパラメータであってもよい。一つ又は複数の例示の方法において、第１及び／又は第２のパラメータは、複数の異なるパラメータの組み合わせであってもよい。
【００９１】
最適アンテナ・モード１０４を決定した後、アンテナシステムは、決定したモード又はアンテナ構成１０６を利用するように構成される。したがって、データは、最適モード１０８を介して受信される。
【００９２】
決定された最適アンテナ・モード１０４に応じたアンテナシステム１０６の構成は、第１のアンテナ・モードが最適アンテナ・モード１０４として決定されているときは、アンテナシステムのデータ端子に第１のアンテナ構成を適用することを含んでいてもよい。アンテナシステム１０６の構成は、第２のアンテナ・モードが最適アンテナ・モード１０４として決定されているときは、アンテナシステムのデータ端子に第２のアンテナ構成を適用することをさらに含んでいてもよい。
【００９３】
アンテナシステム１０６の構成は、第１のアンテナ・モードが最適アンテナ・モード１０４として決定されているときは、アンテナシステムの第１のアンテナ・フィードに第１の一次インピーダンスを及びアンテナシステムの第２のアンテナ・フィードに第２の一次インピーダンスを適用することを含んでいてもよい。アンテナシステム１０６の構成は、第２のアンテナ・モードが最適アンテナ・モード１０４として決定されているときは、第１のアンテナ・フィードに第１の二次インピーダンスを及びアンテナシステムの第２のアンテナ・フィードに第２の二次インピーダンスを適用することをさらに含んでいてもよい。
【００９４】
最適モード１０４の決定は、信号プロセッサによって実行される。信号プロセッサは、アンテナシステムの外部であってもよく、信号プロセッサは、アンテナシステムに制御信号を送信して、アンテナシステムを構成する。信号プロセッサは、制御信号をアンテナシステムの制御端子に送信してもよい。
【００９５】
方法１００は、本明細書中、特に図１から図６及び付随する説明に記載されるような補聴器及びアンテナシステムを用いることによって実現され得る。
【００９６】
加えて、下記する項目に記載された例示的な補聴器及び方法が開示される。
［項目１］
補聴器のユーザの聴力損失を補うために一つ又は複数の音声信号を処理するための信号プロセッサと、
無線データ通信のために前記信号プロセッサに接続される無線通信ユニットと、
データ端子及び少なくとも一つの制御端子を有するアンテナシステムであって、前記データ端子は前記無線通信ユニットに接続され、第１のアンテナと第１のアンテナ・フィードを含む一つ又は複数のアンテナ・フィードとを有するアンテナシステムと、
を備え、
前記アンテナシステムは、前記少なくとも一つの制御端子における制御信号に応じて、第１のアンテナ・モードと第２のアンテナ・モードとを含む複数のアンテナ・モードから選択される選択アンテナ・モードで作動するように、前記アンテナシステムを構成するためのアンテナ構成装置をさらに備え、前記アンテナ構成装置は、前記第１のアンテナ・モードで作動するときは第１のアンテナ構成を前記データ端子に適用し、前記第２のアンテナ・モードで作動するときは第２のアンテナ構成を前記データ端子に適用するように構成される、補聴器。
［項目２］
前記一つ又は複数のアンテナ・フィードは、第２のアンテナ・フィードをさらに含み、前記第１のアンテナ・フィードは、第１の位置で前記第１のアンテナに接続され、前記第２のアンテナ・フィードは、第２の位置で前記第１のアンテナに接続される、項目１に記載の補聴器。
［項目３］
前記第１のアンテナ・フィードは、第１の位置で前記第１のアンテナに接続され、前記アンテナシステムは第２のアンテナを有し、第２のアンテナ・フィードは、第２の位置で前記第２のアンテナに接続される、項目１又は２に記載の補聴器。
［項目４］
前記データ端子は、前記第１のアンテナ・モードでは前記第１のアンテナ・フィードに接続され、前記データ端子は、前記第２のアンテナ・モードでは前記第２のアンテナ・フィードに接続される、項目２に記載の補聴器。
［項目５］
前記第１のアンテナ・モードにおける前記アンテナ構成装置は、前記第１のアンテナ・フィードに第１の一次インピーダンスを適用するとともに前記第２のアンテナ・フィードに第２の一次インピーダンスを適用し、前記第２のアンテナ・モードにおける前記アンテナ構成装置は、前記第１のアンテナ・フィードに第１の二次インピーダンスを適用するとともに前記第２のアンテナ・フィードに第２の二次インピーダンスを適用する、項目２に記載の補聴器。
［項目６］
前記信号プロセッサは、前記アンテナ・モードを選択し、選択したアンテナ・モードで前記アンテナシステムを作動させるために、前記アンテナシステムに前記制御信号を送信するように構成される、項目１から５のいずれか一項に記載の補聴器。
［項目７］
前記第１のアンテナ構成は第１の放射パターンを有し、前記第２のアンテナ構成は前記第１の放射パターンとは異なる第２の放射パターンを有する、項目１から６のいずれか一項に記載の補聴器。
［項目８］
前記第１のアンテナ構成は第１の偏極を有し、前記第２のアンテナ構成は第１の偏極とは異なる第２の偏極を有する、項目１から７のいずれか一項に記載の補聴器。
［項目９］
前記第１のアンテナ構成は第１の方向に延びるアンテナ部を有し、前記第２のアンテナ構成は前記第１の方向に実質的に垂直な第２の方向に延びるアンテナ部を有する、項目１から８のいずれか一項に記載の補聴器。
［項目１０］
前記第１のアンテナ構成は、２．４から２．５ＧＨｚまでの範囲の周波数用に構成される、項目１から９のいずれか一項に記載の補聴器。
［項目１１］
データ通信用のデータ端子を有するアンテナシステムを備える補聴器を作動させるための方法であって、
前記アンテナシステムの第１のアンテナ・モードにおける信号品質を示す第１のパラメータを受信することと、
前記アンテナシステムの第２のアンテナ・モードにおける信号品質を示す第２のパラメータを受信することと、
前記第１及び第２のパラメータに基づいて、第１のアンテナ・モードと第２のアンテナ・モードとから一つのアンテナ・モードを決定することと、
選択されたアンテナ・モードで作動するように前記アンテナシステムを構成することと、
を含む方法。
［項目１２］
前記アンテナシステムを構成することは、
前記第１のアンテナ・モードが前記最適アンテナ・モードであるときは前記アンテナシステムのデータ端子に第１のアンテナ構成を適用し、
前記第２のアンテナ・モードが前記最適アンテナ・モードであるときは前記データ端子に第２のアンテナ構成を適用することを含む、
項目１１に記載の方法。
［項目１３］
前記アンテナシステムを構成することは、
前記第１のアンテナ・モードが前記選択されたアンテナ・モードであるときは、前記アンテナシステムの第１のアンテナ・フィードに第１の一次インピーダンスを適用するとともに、前記アンテナシステムの第２のアンテナ・フィードに第２の一次インピーダンスを適用することと、
前記第２のアンテナ・モードが前記選択されたアンテナ・モードであるときは、前記第１のアンテナ・フィードに第１の二次インピーダンスを適用するとともに前記第２のアンテナ・フィードに第２の二次インピーダンスを適用することち、
を含む、項目１１又は１２に記載の方法。
［項目１４］
前記受信すること、前記選択すること、及び前記構成することは、前記アンテナシステムの外部の信号プロセッサによって実行され、前記方法は、前記アンテナシステムを構成するために前記アンテナシステムに制御信号を送信することをさらに含む、項目１１から１３のいずれか一項に記載の方法。
［項目１５］
前記第１パラメータは、第１アンテナ・モードに関する受信信号強度を示し得るものであり、及び／又は、前記第２パラメータは、第２アンテナ・モードに関する受信信号強度を示し得るものである、項目１１から１４のいずれか一項に記載の方法。
【００９７】
特定の実施形態が示され及び説明されてきたが、それは特許請求に係る発明を好ましい実施形態に限定する意図ではないことは理解され、また、特許請求に係る発明の精神及び範囲を逸脱することなくさまざまな変更及び修正が行われ得ることは、当業者にとって明らかであろう。明細書及び図面は、したがって、制限的な意味というよりはむしろ例示的であるとみなされるべきである。特許請求に係る発明は、代替物、修正物、及び均等物をカバーすることを意図されている。
【符号の説明】
【００９８】
２、２’：補聴器
４：マイクロホン
６：信号プロセッサ
８：無線通信ユニット
９：受信機
１０、１０’、１０’’、１０’’’：アンテナシステム
１２、１５’：データ端子
１４、１５：（一つ又は複数の）制御端子
１６：第１のアンテナ
１６Ａ：第１の一次アンテナ部
１６Ｂ：第１の二次アンテナ部
１８：第１のアンテナ・フィード
２０：アンテナ構成装置
２２：第２のアンテナ・フィード
２４：第２のアンテナ
２６：アンテナ・スイッチ
２８：第１のアンテナ・ブレーカー
３０：第２のアンテナ・ブレーカー
１００：アンテナシステムを備える補聴器を作動させるための方法
１０２：例えば、異なるアンテナ・モードの信号品質を示すパラメータの受信
１０４：最適アンテナ・モードの決定
１０６：決定された最適モードで作動するようにアンテナシステムを構成
１０８：決定された最適アンテナ・モードによって受信及び／又は送信
【図１】
2015156634.tif 000003
【図２】
2015156634.tif 000004
【図３】
2015156634.tif 000005
【図４】
2015156634.tif 000006
【図５】
2015156634.tif 000007
【図６】
2015156634.tif 000008
【図７】
2015156634.tif 000009
【外国語明細書】
2015156634000001.pdf
2015156634000002.pdf
2015156634000003.pdf
2015156634000004.pdf